(57)【要約】【課題】地紋に被覆するクリアコート剤の消費量を抑制する。【解決手段】複数オブジェクトからなる印刷データの各オブジェクトの種別と範囲とを判別する印刷データ解析部と、印刷媒体に地紋を形成する地紋形成部と、前記印刷媒体にカラー着色剤の画像を形成する画像形成部と、前記地紋形成部と前記画像形成部とを通過した前記印刷媒体にクリアコート剤を付着させるクリアコート剤付着部と、前記オブジェクトの種別の判断により、前記クリアコート剤付着部が前記印刷媒体に形成された地紋に重畳する前記クリアコート剤の層厚を決定するクリアコート剤層厚決定部とを備え、前記クリアコート剤層厚決定部は、前記地紋の中央部の前記クリアコート剤の層厚よりも端部の前記クリアコート剤の層厚を薄く決定する。【選択図】        図１
2014138313.tif 000002
【特許請求の範囲】
【請求項１】
複数オブジェクトからなる印刷データの各オブジェクトの種別と範囲とを判別する印刷データ解析部と、
印刷媒体に地紋を形成する地紋形成部と、
前記印刷媒体にカラー着色剤の画像を形成する画像形成部と、
前記地紋形成部と前記画像形成部とを通過した前記印刷媒体にクリアコート剤を付着させるクリアコート剤付着部と、
前記オブジェクトの種別の判断により、前記クリアコート剤付着部が前記印刷媒体に形成された地紋に重畳する前記クリアコート剤の層厚を決定するクリアコート剤層厚決定部とを備え、
前記クリアコート剤層厚決定部は、前記地紋の中央部の前記クリアコート剤の層厚よりも端部の前記クリアコート剤の層厚を薄く決定することを特徴とする画像形成装置。
【請求項２】
請求項１に記載の画像形成装置において、
前記クリアコート剤層厚決定部は、前記地紋の中心部から外側に向かいクリアコート剤の層厚を薄化するように決定することを特徴とする画像形成装置。
【請求項３】
請求項２に記載の画像形成装置において、
前記クリアコート剤層厚決定部は、前記地紋の中心部から外側に向かい徐々にクリアコート剤の層厚を薄化するように決定することを特徴とする画像形成装置。
【請求項４】
請求項２に記載の画像形成装置において、
前記クリアコート剤層厚決定部は、前記地紋の端部の近傍において曲面を形成するようにクリアコート剤の層厚を薄化するように決定することを特徴とする画像形成装置。
【請求項５】
請求項２に記載の画像形成装置において、
前記クリアコート剤層厚決定部は、前記地紋の中心部から外側に向かい階段状にクリアコート剤の層厚を薄化するように決定することを特徴とする画像形成装置。
【請求項６】
請求項１に記載の画像形成装置において、
前記クリアコート剤層厚決定部は、前記地紋の配列方向と直交する方向における中心線から端部に向かいクリアコート剤の層厚を薄化するように決定することを特徴とする画像形成装置。
【発明の詳細な説明】
【技術分野】
【０００１】
本発明は、ドットコードやバーコード等の地紋の上層にクリアコート層を設ける画像形成装置に関する。
【背景技術】
【０００２】
従来の画像形成装置は、可視画像を印刷媒体に形成させた後、製本装置による製本を行うとき印刷媒体を折り曲げると、可視画像が折曲部で剥がれ落ちてしまうため、その折曲部の折り曲げ線を中心として左右に所定の幅を確保してクリアコート（透明画像）剤を被覆することにより、可視画像の剥がれ落ちを防止するようにしている（例えば、特許文献１参照）。
また、可視画像の破損は、折曲部以外にも可視画像に接触することによっても発生する可能性があり、特にドットコードやバーコード等の地紋パターン等の読取り装置によって直接触れる部分は、可視画像が破損する可能性が高いため、クリアコート剤を上層部に被せ、その破損を防止するようにしている。
【先行技術文献】
【特許文献】
【０００３】
【特許文献１】特開２００７−３２２８１９号公報
【発明の概要】
【発明が解決しようとする課題】
【０００４】
しかしながら、従来の技術においては、地紋パターンが形成されている領域に対してすべて同じ層厚のクリアコート剤で塗り潰すようにしているため、地紋パターンが破損する可能性が低い部分でも他の部分と同量のクリアコート剤を消費してしまい、クリアコート剤を無駄に消費してしまうという問題がある。
本発明は、このような問題を解決することを課題とし、クリアコート剤の消費量を抑制することを目的とする。
【課題を解決するための手段】
【０００５】
そのため、本発明は、複数オブジェクトからなる印刷データの各オブジェクトの種別と範囲とを判別する印刷データ解析部と、印刷媒体に地紋を形成する地紋形成部と、前記印刷媒体にカラー着色剤の画像を形成する画像形成部と、前記地紋形成部と前記画像形成部とを通過した前記印刷媒体にクリアコート剤を付着させるクリアコート剤付着部と、前記オブジェクトの種別の判断により、前記クリアコート剤付着部が前記印刷媒体に形成された地紋に重畳する前記クリアコート剤の層厚を決定するクリアコート剤層厚決定部とを備え、前記クリアコート剤層厚決定部は、前記地紋の中央部の前記クリアコート剤の層厚よりも端部の前記クリアコート剤の層厚を薄く決定することを特徴とする。
【発明の効果】
【０００６】
このようにした本発明は、地紋データが読み取られ難い部位はクリアコート剤を薄く被せるので、クリアコート剤の消費量を抑制することができ、効率的に地紋を保護することができるという効果が得られる。
【図面の簡単な説明】
【０００７】
【図１】第１の実施例における印刷装置の構成を示すブロック図
【図２】第１の実施例における印刷装置の構成を示す概略側面図
【図３】第１の実施例における画像データ生成処理の流れを示すフローチャート
【図４】第１の実施例における地紋画像データの作成方法の説明図
【図５】第１の実施例におけるクリアコート範囲中心座標算出処理の説明図
【図６】第１の実施例におけるグラデーション処理の説明図
【図７】第２の実施例における印刷装置の構成を示すブロック図
【図８】第２の実施例における画像データ生成処理の流れを示すフローチャート
【図９】第２の実施例における地紋コードの説明図
【発明を実施するための形態】
【０００８】
以下、図面を参照して本発明による画像形成装置の実施例を説明する。
【実施例１】
【０００９】
図１は第１の実施例における印刷装置の構成を示すブロック図である。
図１において、画像形成システムは、ホスト装置１０００と、印刷装置１１００とから構成されている。
ホスト装置１０００は、信号ケーブル等の電気的接続手段１０１０により印刷装置１１００と接続され、ユーザの操作により印刷実行指示を受けると、印刷装置１１００に対して指定された印刷データを送信するパーソナルコンピュータ（ＰＣ）等である。なお、電気的接続手段１０１０は無線ＬＡＮ（Ｌｏｃａｌ  Ａｒｅａ  Ｎｅｔｗｏｒｋ）等の無線通信手段であってもよい。
【００１０】
ホスト装置１０００は、例えばＣＰＵ（Ｃｅｎｔｒａｌ  Ｐｒｏｃｅｓｓｉｎｇ  Ｕｎｉｔ）等の制御手段、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等の記憶手段、キーボードやマウス等の入力手段、ディスプレイ等の表示手段等のハードウェアと、ユーザにより入力手段を介して入力された情報に基づきカラー画像イメージデータおよび地紋イメージデータから構成される出力データを作成するアプリケーション（ソフトウェア）１００４と、ドライバ（ソフトウェア）１００１とを備えている。
【００１１】
ドライバ１００１は、アプリケーション１００４で作成された出力データから印刷データ１００５を生成するＰＤＬ（Ｐａｇｅ  Ｄｅｓｃｒｉｐｔｉｏｎ  Ｌａｎｇｕａｇｅ）データ生成部１００２および当該印刷データ１００５を印刷装置１１００に対して送信するデータ送信部１００３を備えている。
印刷装置１１００は、例えば電子写真方式のプリンタであり、通信部１１０１と、制御部１１１１と、画像データ生成部１１０２と、印刷部１１１２とを備え、ドットコードやバーコード等の地紋パターン（地紋の画像）をクリアコート剤で上塗りし、地紋パターンを保護するとき、読取装置が触れやすく地紋パターンが破損し易い部分以外、および地紋パターンにおいて頻繁に読取られる部分以外の部位はクリアコート剤を薄く被せてクリアコート剤の消費量を抑えるようにするものである。
【００１２】
ここで、読取装置が触れやすく地紋パターンが破損し易い部分とは、地紋パターンエリアの中心部分である。これは、例えば人間の心理から地紋パターンを読取装置で読取る場合、地紋パターンエリアの端部より中心部を読取ろうとするため、中心部近傍が頻繁に読取装置と接触し、中心部より端部に近づくに連れ、読取装置が接触することは少なくなるからである。
【００１３】
また、本実施例において、地紋画像データで表現される地紋パターン画像は、図６に示すように、極小さなサイズのドットで形成されるパターン画像であり、このようなパターン画像においては、所定の位置に配置されたドットの組み合わせにより、例えば各種情報等を付与させることができ、一般的にＧｒｉｄＭａｒｋ（登録商標）技術やＡＮＯＴＯ（登録商標）技術等が用いられる。
通信部１１０１は、通信ケーブル等の電気的接続手段１０１０により、印刷装置１１００とホスト装置１０００とを接続し、データの送受信を行う。
【００１４】
制御部１１１１は、ＣＰＵ等により構成され、記憶部に記憶された制御プログラム（ソフトウェア）に基づいて、通信部１１０１、画像データ生成部１１０２、および印刷部１１１２を含め印刷装置１１００全体の動作を制御する。この制御部１１１１は、通信部１１０１がホスト装置１０００から受信した印刷データ１００５を印刷データ解析部１１０３へ転送させる。また、制御部１１１１は、印刷データ記憶部１１１０に格納された各画像データに応じて現像器制御部１１１３に対して画像形成の指示を与える。
【００１５】
画像データ生成部１１０２は、ホスト装置１０００から受信した印刷データ１００５からＫ、Ｙ、Ｍ、Ｃ、ＣＴ印刷データを生成し、印刷部１１１２で画像を形成させる画像データに変換する。
印刷部１１１２は、画像データ生成部１１０２が生成したＫ、Ｙ、Ｍ、Ｃ、ＣＴ印刷データを構成する各色の画像データを基に画像を印刷媒体（以下、「媒体」という。）に印刷する。
ここで、Ｋ、Ｙ、Ｍ、Ｃ、ＣＴ印刷データとは、地紋（Ｋ）画像データ、Ｙ画像データ、Ｍ画像データ、Ｃ画像データ、クリアコート（ＣＴ）画像データの各画像データにより構成されており、ＫはＢｌａｃｋ、ＹはＹｅｌｏｗ、ＭはＭａｇｅｎｔａ、ＣはＣｙａｎ、ＣＴはＣｌｅａｒの各色を示している。
【００１６】
画像データ生成部１１０２は、印刷データ解析部１１０３と、地紋データ生成部１１０７と、クリアコート生成部１１０８と、ＹＭＣ画像データ生成部１１０９と、印刷データ記憶部１１１０とを備えている。
印刷データ解析部１１０３は、複数オブジェクトからなる印刷データ１００５の各オブジェクトの種別と範囲とを判別するものであり、地紋データ判別部１１０５と、オブジェクト判別部１１０６とを備え、通信部１１０１を介して受信した受信データである印刷データ１００５を解析するとともに、地紋データ生成部１１０７、クリアコート生成部１１０８、およびＹＭＣ画像データ生成部１１０９の変換部へ画像データを転送する。
【００１７】
地紋データ判別部１１０５は、通信部１１０１を介して受信した受信データの地紋のみのデータを選択して解析した後、解析したデータを地紋データ生成部１１０７およびクリアコート生成部１１０８に転送する。
オブジェクト判別部１１０６は、通信部１１０１を介して受信した受信データの地紋以外のオブジェクトデータを選択して解析した後、解析したデータをＹＭＣ画像データ生成部１１０９に転送する。
地紋データ生成部１１０７は、地紋データ判別部１１０５で判別されたデータを基に編集展開処理を行い、地紋画像データ（以下、「地紋データ」ともいう。）のイメージデータおよび印刷情報を生成する。
【００１８】
クリアコート生成部１１０８は、クリアコート剤印刷範囲中心判断部としての中心判断部１１１９と、クリアコート剤層厚決定部としての層厚決定部１１２０とから構成されている。このクリアコート生成部１１０８は、印刷データ解析部１１０３の地紋データ判別部１１０５で判別されたデータ（オブジェクトの種別）を基にクリアコート剤を印刷する範囲を決定し、その後、中心判断部１１１９によりクリアコート剤を印刷する範囲の中心部を判断し、層厚決定部１１２０において、その中心部から外側（端部）に向けて徐々にクリアコート剤の層厚が薄くなっていくグラデーション処理を行い、媒体２０７に形成された地紋データに重畳するクリアコート剤の層厚を決定し、地紋データに覆い被せる保護データ部分のイメージデータおよび印刷情報を生成する。すなわち、層厚決定部１１２０は、地紋データの中央部のクリアコート剤の層厚よりも端部のクリアコート剤の層厚を薄く決定する。
【００１９】
ＹＭＣ画像データ生成部１１０９は、オブジェクト判別部１１０６で判別されたデータを基に編集展開処理を行い、テキスト部やグラフィック部、またはイメージ部のイメージデータと印刷情報を生成する。
印刷データ記憶部１１１０は、地紋データ生成部１１０７、クリアコート生成部１１０８、およびＹＭＣ画像データ生成部１１０９の各生成部において生成されたイメージデータと印刷情報を画像データとして記憶する。
次に、印刷部１１１２について、図２の第１の実施例における印刷装置の構成を示す概略側面図を参照しながら説明する。
【００２０】
印刷部１１１２は、現像器制御部１１１３と、Ｋ色に対応したＫ現像部１１１４およびＫ＿ＬＥＤ（Ｌｉｇｈｔ  Ｅｍｉｔｔｉｎｇ  Ｄｉｏｄｅ）ヘッド１１３０と、Ｙ色に対応したＹ現像部１１１５およびＹ＿ＬＥＤヘッド１１３１と、Ｍ色に対応したＭ現像部１１１６およびＭ＿ＬＥＤヘッド１１３２と、Ｃ色に対応したＣ現像部１１１７およびＣ＿ＬＥＤヘッド１１３３と、ＣＴ色に対応したＣＴ現像部１１１８およびＣＴ＿ＬＥＤヘッド１１３４とを備え、図２中矢印Ａが示す印刷媒体２０７の搬送方向における上流側から下流側に向けて順に、Ｋ現像部１１１４およびＫ＿ＬＥＤヘッド１１３０、Ｙ現像部１１１５およびＹ＿ＬＥＤヘッド１１３１、Ｍ現像部１１１６およびＭ＿ＬＥＤヘッド１１３２、Ｃ現像部１１１７およびＣ＿ＬＥＤヘッド１１３３、ＣＴ現像部１１１８およびＣＴ＿ＬＥＤヘッド１１３４が配設されている。
【００２１】
地紋形成部としてのＫ現像部１１１４（Ｋ＿ＬＥＤヘッド１１３０）は印刷媒体に地紋を形成し、画像形成部としてのＹ現像部１１１５（Ｙ＿ＬＥＤヘッド１１３１）、Ｍ現像部１１１６（Ｍ＿ＬＥＤヘッド１１３２）およびＣ現像部１１１７（Ｃ＿ＬＥＤヘッド１１３３）は印刷媒体にカラー着色剤の画像を形成し、クリアコート剤付着部としてのＣＴ現像部１１１８（ＣＴ＿ＬＥＤヘッド１１３４）はＫ現像部１１１４、Ｙ現像部１１１５、Ｍ現像部１１１６およびＣ現像部１１１７を通過した印刷媒体にクリアコート剤を付着させる。
【００２２】
現像器制御部１１１３は、制御部１１１１の制御に基づき、Ｋ現像部１１１４、Ｙ現像部１１１５、Ｍ現像部１１１６、Ｃ現像部１１１７、およびＣＴ現像部１１１８を統括的に制御する。
Ｋ現像部１１１４、Ｙ現像部１１１５、Ｍ現像部１１１６、Ｃ現像部１１１７、およびＣＴ現像部１１１８は、印刷部１１１２の各色に備えられた現像部である。なお、各現像部は、形成する画像色の違い以外は構成が同じであるため、Ｋ現像部１１１４を代表としてその構成を説明する。
【００２３】
図２に示すように、Ｋ現像部１１１４は、感光体ドラム２１１を帯電させるための帯電ローラ２１２と、帯電ローラ２１２により帯電させられ、露光手段により静電潜像が形成される感光体ドラム２１１と、感光体ドラム２１１に対向して設けられ、印刷画像に応じた光を明滅することで感光体ドラム２１１表面を露光させる露光手段としてのＫ＿ＬＥＤヘッド１１３０と、本実施例では黒色の現像剤としてのトナーを用いたＫ現像剤２１３と、現像剤収容器２１４に収容されたＫ現像剤２１３を搬送する現像剤供給ローラ２０８と、感光体ドラム２１１に対向して設けられ、現像剤供給ローラ２０８から供給されるＫ現像剤２１３を感光体ドラム２１１へ供給することで静電潜像を現像剤像として現像する現像ローラ２０９とを備えている。
【００２４】
なお、Ｙ現像部１１１５の現像剤収容器２１７はＹ現像剤２１６、Ｍ現像部１１１６の現像剤収容器２２０はＭ現像剤２１９、Ｃ現像部１１１７の現像剤収容器２２３はＣ現像剤２２２、ＣＴ現像部１１１８の現像剤収容器２２６はＣＴ現像剤２２５を収容するものとする。
本実施例において、第１の現像剤としてのＫ現像剤２１３には、黒色の顔料であり、近赤外光を吸収する性質を有するカーボンブラックを用いるものとする。また、媒体２０７上の第１の現像剤の現像剤層の上に層形成される第２の現像剤としてのカラー現像剤であるＹ現像剤２１６、Ｍ現像剤２１９、Ｃ現像剤２２２、さらに、クリアコート現像剤であるＣＴ現像剤２２５には、近赤外光を透過する性質を有する顔料を用いるものとする。
【００２５】
印刷部１１１２は、媒体２０７の搬送経路を構成する部材として、媒体供給部から媒体２０７を給紙する給紙ローラ対２０６と、給紙ローラ対２０６から給紙された媒体２０７を搬送し、各現像部の感光体ドラムに対向して設けられた転写ローラ２０５により各色の現像部で形成された現像剤像を媒体２０７に転写させる転写ベルト２０４と、媒体２０７に転写された現像剤像を加熱および加圧することにより媒体２０７に定着させる定着器２０２と、定着器２０２により現像剤像が定着された媒体２０７を印刷装置１１００の外部へ排出する排出ローラ対２０３とを備えている。
媒体供給部から給紙ローラ対２０６を介して給紙された媒体２０７は、転写ベルト２０４により搬送される過程において、上述した各現像部で形成された現像剤像が順次転写される。
【００２６】
なお、本実施例では、図２中矢印Ａが示す媒体２０７の搬送方向における上流側から下流側にかけて、第１の現像部としてのＫ現像部１１１４で形成された第１の現像剤像、第２の現像部としてのＹ現像部１１１５、Ｍ現像部１１１６、およびＣ現像部１１１７で形成されたそれぞれの第２の現像剤像、並びにＣＴ現像部１１１８で形成されたＣＴ現像剤像が媒体２０７に順次転写される。
各現像部において形成された現像剤像が媒体２０７に転写された後、定着器２０２は媒体２０７に熱および圧力を付与することにより現像剤像を定着させる。現像剤像が定着された媒体２０７は排紙ローラ対２０３により印刷装置１１００の外部に排出される。
【００２７】
上述した構成の作用について説明する。
まず、画像形成システムの作用について図１を用いて説明する。
ユーザの操作による印刷開始指示により、ホスト装置１０００内のアプリケーション１００４は、作成されたカラー画像イメージデータおよび地紋画像イメージデータに基づいてスプールファイルを生成するとともに、生成されたスプールファイルをドライバ１００１へ出力する。
ここで、スプールファイルとは、アプリケーション１００４がドライバ１００１に対して渡す印刷データの中間データのことである。
【００２８】
アプリケーション１００４から出力されたスプールファイルが入力されると、ドライバ１００１のＰＤＬデータ生成部１００２は、印刷装置１１００に対して描画を指示するためのプログラム言語で記述されたＰＤＬデータを生成する。また、ＰＤＬデータ生成部１００２は、地紋画像データおよびカラー印刷データを含む印刷ジョブデータを生成する。ここで、印刷ジョブデータには、カラー印刷データと地紋画像データとを識別するための識別子が付与される。
【００２９】
ここで、地紋画像データ（地紋データ）の追加作成方法としてＧｒｉｄＭａｒｋの方法を例として図４の第１の実施例における地紋画像データの作成方法の説明図に基づいて説明する。
入力データ６０１は、アプリケーション１００４に読み込まれるデータであって、地紋画像データを載せる前のデータであり、ＧｒｉｄＭａｒｋの場合、ＰＤＦ（Ｐｏｒｔａｂｌｅ  Ｄｏｃｕｍｅｎｔ  Ｆｏｒｍａｔ）データであることが一般的である。
【００３０】
アプリケーション１００４では、入力データ６０１を読み込んだ後、ユーザの操作により、読み込んだ入力データ６０１（ＰＤＦデータ）の中に地紋画像データ６０３を追加し、出力データ６０２を作成する。また、アプリケーション１００４は、入力データ６０１を読み込まず、新規に白紙のデータをアプリケーション１００４内で展開し、そのデータの中に地紋画像データ６０３を追加し、出力データ６０２を作成することも可能である。
【００３１】
アプリケーション１００４は、すべての地紋画像データを入力データ６０１に追加して出力データ６０２の作成が完了すると、作成した出力データをドライバ１００１に送信する。
出力データ６０２は、先頭部（図中斜線部）および後部により構成され、先頭部（図中斜線部）は、入力データ６０１と同じ形式の同フォーマットデータであり、後部は地紋画像データ６０３が新たに追加されたものとなっている。
データ送信部１００３は、出力データ６０２に基づいてＰＤＬデータ生成部が生成した印刷データ１００５を印刷装置１１００の通信部１１０１に対して送信する。
【００３２】
次に、印刷装置１１００の画像データ生成部１１０２が行う画像データ生成処理を図３の第１の実施例における画像データ生成処理の流れを示すフローチャートの図中Ｓで表すステップに従って図１を参照しながら説明する。
Ｓ１０１：印刷装置１１００の制御部１１１１は、通信部１１０１を介してホスト装置１０００のデータ送信部１００３から送信された印刷データ１００５を受信すると、その印刷データ１００５を画像データ生成部１１０２の印刷データ解析部１１０３へ転送させる。
【００３３】
Ｓ１０２：印刷データ解析部１１０３は、受信した印刷データ１００５を解析し、地紋データ判別部１１０５により地紋データ（地紋オブジェクト）か否か、またオブジェクト判別部１１０６によりテキストデータ（テキストオブジェクト）、グラフィックデータ（グラフィックオブジェクト）、またはイメージデータ（イメージオブジェクト）か否かを判別して各オブジェクトに分離する。
印刷データ解析部１１０３は、分離したオブジェクトが、地紋オブジェクトであると判別すると処理をＳ１０３へ移行し、テキストオブジェクトであると判別すると処理をＳ１０７へ移行し、グラフィックオブジェクトであると判別すると処理をＳ１０８へ移行し、イメージオブジェクトであると判別すると処理をＳ１０９へ移行する。
【００３４】
Ｓ１０３：地紋データ生成部１１０７は、分離されたオブジェクトに基づいて地紋データのラスタデータや印刷情報等を作成して印刷データ記憶部１１１０のディスプレイリストに格納する。
ここで、ディスプレイリスト（Ｄｉｓｐｌａｙ  Ｌｉｓｔ）とは、受信データの解析結果を格納する記憶部の中間バッファのことであり、画像の形状、画像の位置、印刷色、および文字、図形、イメージ等の描画データや描画パターン、展開規則等の情報を書き込む情報管理テーブルである。
【００３５】
Ｓ１０４：クリアコート生成部１１０８は、クリアコート剤を印刷するクリアコートの範囲を確定するクリアコートデータ作成処理を行う。
Ｓ１０３で作成された地紋データの描画範囲全体を基本範囲とし、その基本範囲より外側に所定量はみ出した範囲をクリアコート剤の印刷範囲とするのが一般的であったが、本実施例では、クリアコート生成部１１０８は、基本範囲に対してはみ出す量は任意に決定することができ、基本範囲にはみ出し量を付加した範囲を、新たなひとつのクリアコート剤描画オブジェクトとしたクリアコートデータを作成する。
【００３６】
Ｓ１０５：中心判断部１１１９は、クリアコートの範囲の中心部を判断し、決定するクリアコート範囲中心座標算出処理を行う。
ここで、中心判断部１１１９が行うクリアコート範囲中心座標算出処理を図５の第１の実施例におけるクリアコート範囲中心座標算出処理の説明図に基づいて説明する。
まず、中心判断部１１１９は、Ｘ軸方向に対し、クリアコート範囲５００の左端Ｘ１座標５０２と右端Ｘ２座標５０３を求め、
Ｘ中心座標＝（左端Ｘ１座標＋右端Ｘ２座標）／２
により、Ｘ中心座標５０１を求める。
【００３７】
次に、中心判断部１１１９は、Ｙ軸方向に対し、クリアコート範囲５００の下端Ｙ１座標５０５と上端Ｙ２座標５０６を求め、
Ｙ中心座標＝（下端Ｙ１座標＋上端Ｙ２座標）／２
により、Ｙ中心座標５０４を求める。
このようにして中心判断部１１１９は、クリアコート範囲の中心座標（Ｘ中心座標５０１、Ｙ中心座標５０４）を算出する。
【００３８】
Ｓ１０６：層厚決定部１１２０は、クリアコートデータのグラデーション処理を行う。
層厚決定部１１２０は、Ｓ１０４において作成されたクリアコートデータの描画範囲に対し、Ｓ１０５で求めた地紋エリアのクリアコート範囲の図５に示す中心座標（Ｘ中心座標５０１、Ｙ中心座標５０４）から左端Ｘ１座標５０２、右端Ｘ２座標５０３、下端Ｙ１座標５０５、上端Ｙ２座標５０６までグラデーション処理を行い、クリアコート剤のラスタデータや印刷情報等を作成して印刷データ記憶部１１１０のディスプレイリストに格納し、処理をＳ１１０へ移行する。
【００３９】
ここで、グラデーション処理を図６の第１の実施例におけるグラデーション処理の説明図に基づいて説明する。なお、グラデーション処理の方法には、地紋データの種類や用途により、多種多様な方法が存在するが、本実施例では、図６を用いて３種類の方法を説明する。
図６は、小さな地紋コードを読み取るＧｒｉｄＭａｒｋ等の技術による、地紋データとしての地紋コードの配置図であり、媒体２０７の上面に、ドット状の地紋コード４０２が配置され、その地紋コード４０２を覆い被せるようにクリアコート剤４０３が印刷される。なお、図６（ａ）は上面図であり、図６（ｂ）は図６（ａ）におけるＹＹ断面図、図６（ｃ）は図６（ａ）におけるＸＸ断面図、図６（ｄ）および図６（ｅ）も図６（ａ）におけるＸＸ断面図である。
【００４０】
図６（ａ）（ｂ）（ｃ）は、中心部としての中心座標４０１ａからクリアコート範囲の外側（端部４０３ａ）に向けて傾斜面４０３ｂを形成するようにクリアコート剤の層厚を（図６（ｂ）（ｃ）に示すように断面が直線状）に徐々に薄くしていく方法を示している。
また、図６（ｄ）は、クリアコート範囲の外側の端部の近傍において、中心部としての中心座標４０１ａからクリアコート範囲の外側（端部４０３ａ）に向けて曲面（凸面）４０３ｃを形成するようにクリアコート剤の層厚を徐々に薄くしていく方法を示している。
【００４１】
さらに、図６（ｅ）は、中心座標４０１ａからクリアコート範囲の外側（端部４０３ａ）に向けてクリアコート剤の層厚を段階的（断面が階段状４０３ｄ）に徐々に薄くしていく方法を示している。
なお、図６（ａ）、（ｂ）、（ｃ）および図６（ｄ）に示す方法は、クリアコート剤の層厚を曲線状に徐々に薄くするようにしているため、クリアコート剤の段差がなく、見た目に綺麗である。一方、図６（ｅ）に示す方法は、クリアコート剤の層厚を段階的（階段状）に徐々に薄くするようにしているため、グラデーション処理が簡素化され、処理時間が短いという利点がある。
【００４２】
Ｓ１０７：ＹＭＣ画像データ生成部１１０９は、分離されたオブジェクトに基づいてテキストのラスタデータや印刷情報等を作成して印刷データ記憶部１１１０のディスプレイリストに格納し、処理をＳ１１０へ移行する。
Ｓ１０８：ＹＭＣ画像データ生成部１１０９は、分離されたオブジェクトに基づいてグラフィックのラスタデータや印刷情報等を作成して印刷データ記憶部１１１０のディスプレイリストに格納し、処理をＳ１１０へ移行する。
【００４３】
Ｓ１０９：ＹＭＣ画像データ生成部１１０９は、分離されたオブジェクトに基づいてイメージのラスタデータや印刷情報等を作成して印刷データ記憶部１１１０のディスプレイリストに格納し、処理をＳ１１０へ移行する。
Ｓ１１０：制御部１１１１は、通信部１１０１を介してホスト装置１０００から受信した印刷データ１００５のオブジェクトのすべての解析が終了したか否かを判定し、解析が終了していないと判定すると処理をＳ１０２へ移行して再び印刷データ１００５の解析を行い、すべての解析が終了したと判定すると本処理を終了する。
【００４４】
印刷装置１１００の画像データ生成部１１０２により画像データが生成されると、制御部１１１１は、印刷データ記憶部１１１０内のディスプレイリストに格納された各画像データに応じて印刷部１１１２の現像器制御部１１１３に対して画像形成を指示する。指示を受けた現像器制御部１１１３は、地紋データ画像をＫ現像部１１１４、ＹＭＣ画像データのＹ画像をＹ現像部１１１５、ＹＭＣ画像データのＭ画像をＭ現像部１１１６、ＹＭＣ画像データのＣ画像をＣ現像部１１１７、クリアコート画像データのクリアコート画像をＣＴ現像部１１１８で画像形成するように、Ｋ現像部１１１４、Ｙ現像部１１１５、Ｍ現像部１１１６、Ｃ現像部１１１７、およびＣＴ現像部１１１８の各現像部と、Ｋ＿ＬＥＤヘッド１１３０、Ｙ＿ＬＥＤヘッド１１３１、Ｍ＿ＬＥＤヘッド１１３２、Ｃ＿ＬＥＤヘッド１１３３、ＣＴ＿ＬＥＤヘッド１１３４の各ＬＥＤヘッドを制御する。
【００４５】
以降の印刷装置１１００の画像形成動作について図１および図２を参照しながら説明する。
現像器制御部１１１３は、制御部１１１１から印刷開始指示を受けると、図示しない高圧電源を制御してＫ現像部１１１４内の帯電ローラ２１２に負の電圧を印加させ、感光体ドラム２１１の表面を負に帯電させる。
感光体ドラム２１１の表面を負に帯電させた現像器制御部１１１３は、Ｋ＿ＬＥＤヘッド１１３０の明滅を制御して地紋画像データに基づく光を感光体ドラム２１１の表面に照射させる。感光体ドラム２１１は回転しながらＫ＿ＬＥＤヘッド１１３０から照射された光を受光することにより、受光した部分、すなわち地紋画像データに基づく地紋パターン画像が形成される部分のみの負の電荷の帯電量が減少し、静電潜像が形成される。
【００４６】
一方、Ｋ現像部１１１４の現像剤収容器２１４に収容されたＫ現像剤２１３は、現像剤供給ローラ２０８および現像ローラ２０９により感光体ドラム２１１へと搬送される過程において負の電荷が与えられ、感光体ドラム２１１表面の負電荷の帯電量が減少している部分にのみ付着する。
この動作と同時に、制御部１１１１は、給紙・搬送制御部およびローラ類駆動制御部等へ印刷開始指示を出力し、媒体２０７を印刷部１１１２へ搬送する動作を開始させる。
【００４７】
給紙ローラ対２０６により搬送された媒体２０７は、Ｋ現像部１１１４に到達すると、転写ベルト２０４の内側に設けられた転写ローラ２０５に図示しない高圧電源から印加された正の電圧により発生する電界の作用により、Ｋ現像剤２１３で形成された地紋パターン画像が感光体ドラム２１１表面から媒体２０７表面に転写される。
【００４８】
現像器制御部１１１３は、同様に、ＹＭＣ画像データおよびクリアコート画像のＹ画像データ、Ｍ画像データ、Ｃ画像データ、およびＣＴ画像データの情報に基づき、Ｙ＿ＬＥＤヘッド１１３１、Ｍ＿ＬＥＤヘッド１１３２、Ｃ＿ＬＥＤヘッド１１３３、およびＣＴ＿ＬＥＤヘッド１１３４を制御してＹ現像部１１１５でＹ現像剤２１６、Ｍ現像部１１１６でＭ現像剤２１９、Ｃ現像部１１１７でＣ現像剤２２２、およびＣＴ現像部１１１８でＣＴ現像剤２２５を用いた現像剤像が、感光体ドラムの表面に形成され、転写ベルト２０４により搬送される媒体２０７の表面に順次転写される。
このとき、Ｙ現像剤２１６、Ｍ現像剤２１９、Ｃ現像剤２２２、およびＣＴ現像剤２２５には所定の波長の光（本実施例では、近赤外光）を透過する顔料が用いられている。
【００４９】
転写ベルト２０４により図２中の矢印Ａが示す方向に搬送された媒体２０７は、定着器２０２により熱および圧力が付与されることにより現像剤像が定着される。現像剤像が定着された媒体２０７は、排紙ローラ対２０３により印刷装置１１００の外部へと排出され、画像形成動作は完了する。
印刷装置１１００による画像形成動作が完了すると、図６に示すように、媒体２０７上に現像剤層が形成される。
【００５０】
このように、Ｋ現像部１１１４でＫ現像剤２１３により形成された地紋コード４０２の画像を覆うように、ＣＴ現像部１１１８でＣＴ現像剤２２５により地紋コード４０２の上層部にクリアコート剤４０３の画像が形成されるため、地紋コード４０２を保護することができる。
また、Ｋ現像剤２１３で形成されている地紋コード４０２の画像の上に、Ｙ現像部１１１５でＹ現像剤２１６、Ｍ現像部１１１６でＭ現像剤２１９、およびＣ現像部１１１７でＣ現像剤２２２の各現像剤によるＹＭＣ画像が、地紋コード４０２の画像の上位に形成される場合もあり、そのＹＭＣ画像もクリアコート剤４０３で覆い被され、保護することができる。
【００５１】
本実施例では、ＣＴ現像部１１１８で生成されるＣＴ現像剤２２５によるクリアコート剤の層厚を調整することを特徴とする画像形成の制御動作であり、クリアコート剤の層厚の調整は、ＣＴ＿ＬＥＤヘッド１１３４の光量を調整することで行っており、露光量を上げることにより層厚を厚く、露光量を下げることにより層厚を薄くすることができ、クリアコート剤の層厚を調整することができる。
【００５２】
このように、本実施例では、地紋データの破損が激しい部位、または地紋データの破損を必ず防ぐことが必要な部位には通常の層厚のクリアコート剤を被せ、地紋データの破損があまり発生しない部位、または地紋データが破損してもあまり問題とならない部位には通常の層厚よりも薄くクリアコート剤を被せるようにしたことにより、クリアコート剤の消費量を抑制することができる。
【００５３】
以上説明したように、第１の実施例では、地紋データ画像に対して読取装置等が良く触れ、地紋パターンが破損し易い部位以外の範囲、または地紋パターンが頻繁に読み取られる部位以外の範囲に被せるクリアコート剤の層厚を、通常の層厚より薄くしたことにより、クリアコート剤の消費量を抑制することができるという効果が得られる。
また、地紋データの中心部から端部に向けて徐々にクリアコート剤の層厚を薄くするようにしたことにより、ぼかし効果により、クリアコート剤を被せた部位と被せていない部位との境界が目立たなくなるという効果が得られる。
【実施例２】
【００５４】
第１の実施例では、地紋データの中心を基点として外側に向けて徐々にクリアコート剤の層厚を薄くするようにしたため、ＧｒｉｄＭａｒｋ等の点で読取る地紋データ（地紋パターン）に対しては有効な方法であるが、一般的なバーコード（１次元バーコード）等の線で読取る地紋データでは、地紋データの端部のクリアコート剤の層厚が薄いため、地紋データ（地紋パターン）が破損し読み取ることができなくなる可能性がある。
第２の実施例では、線で読み取る地紋データ（地紋パターン）に有効であり、かつクリアコート剤の消費量を抑制するようにしている。
【００５５】
図７は第２の実施例における印刷装置の構成を示すブロック図である。なお、上述した第１の実施例と同様の部分は、同一の符号を付してその説明を省略する。また、本実施例では、地紋画像データで表現される地紋パターン画像は、図９に示すように、一般的な１次元バーコードとする。
図７において、画像データ生成部１１０２は、印刷データ解析部１１０３と、地紋データ生成部１１０７と、クリアコート生成部７１０８と、ＹＭＣ画像データ生成部１１０９と、印刷データ記憶部１１１０とを備えている。
【００５６】
印刷データ解析部１１０３は、地紋データ判別部１１０５と、オブジェクト判別部１１０６とを備え、通信部１１０１を介して受信した受信データである印刷データ１００５を解析するとともに、地紋データ生成部１１０７、クリアコート生成部７１０８、およびＹＭＣ画像データ生成部１１０９の変換部へ画像データを転送する。
地紋データ判別部１１０５は、通信部１１０１を介して受信した受信データの地紋のみのデータを選択して解析した後、解析したデータを地紋データ生成部１１０７およびクリアコート生成部７１０８に転送する。
【００５７】
オブジェクト判別部１１０６は、通信部１１０１を介して受信した受信データの地紋以外のオブジェクトデータを選択して解析した後、解析したデータをＹＭＣ画像データ生成部１１０９に転送する。
地紋データ生成部１１０７は、地紋データ判別部１１０５で判別されたデータを基に編集展開処理を行い、地紋画像データのイメージデータおよび印刷情報を生成する。
【００５８】
クリアコート生成部７１０８は、クリアコート剤印刷範囲中心判断部としての中心線判断部７１１９と、クリアコート剤層厚決定部としての層厚決定部７１２０とから構成されている。このクリアコート生成部７１０８は、地紋データ判別部１１０５で判別されたデータを基にクリアコート剤を印刷する範囲を決定し、その後、中心線判断部７１１９により、例えば図９に示すように、地紋データの読取り方向に対して直交する方向のクリアコート剤を印刷する範囲の中心部（中心線９０４）を判断し、層厚決定部７１２０において、その中心部より端部に向けて徐々にクリアコート剤の層厚が薄くなっていくグラデーション処理を行い、媒体２０７に形成された地紋データに重畳するクリアコート剤の層厚を決定し、地紋データに覆い被せる保護データ部分のイメージデータおよび印刷情報を生成する。すなわち、層厚決定部７１２０は、地紋データの中央部のクリアコート剤の層厚よりも端部のクリアコート剤の層厚を薄く決定する。
【００５９】
ＹＭＣ画像データ生成部１１０９は、オブジェクト判別部１１０６で判別されたデータを基に編集展開処理を行い、テキスト部やグラフィック部、またはイメージ部のイメージデータと印刷情報を生成する。
印刷データ記憶部１１１０は、地紋データ生成部１１０７、クリアコート生成部７１０８、およびＹＭＣ画像データ生成部１１０９の各生成部において生成されたイメージデータと印刷情報を画像データとして記憶する。
【００６０】
上述した構成の作用について説明する。
まず、画像形成システムの作用について図７を用いて説明する。
ユーザの操作による印刷開始指示により、ホスト装置１０００内のアプリケーション１００４は、作成されたカラー画像イメージデータおよび地紋画像イメージデータに基づいてスプールファイルを生成するとともに、生成されたスプールファイルをドライバ１００１へ出力する。
ここで、スプールファイルとは、アプリケーション１００４がドライバ１００１に対して渡す印刷データの中間データのことである。
【００６１】
アプリケーション１００４から出力されたスプールファイルが入力されると、ドライバ１００１のＰＤＬデータ生成部１００２は、印刷装置１１００に対して描画を指示するためのプログラム言語で記述されたＰＤＬデータを生成する。また、ＰＤＬデータ生成部１００２は、地紋画像データおよびカラー印刷データを含む印刷ジョブデータを生成する。ここで、印刷ジョブデータには、カラー印刷データと地紋画像データとを識別するための識別子、および地紋画像データの場合は読取り方向を識別するための識別子が付与される。
データ送信部１００３は、出力データ６０２に基づいてＰＤＬデータ生成部が生成した印刷データ１００５を印刷装置１１００の通信部１１０１に対して送信する。
【００６２】
次に、印刷装置１１００の画像データ生成部１１０２が行う画像データ生成処理を図８の第２の実施例における画像データ生成処理の流れを示すフローチャートの図中Ｓで表すステップに従って図７を参照しながら説明する。
Ｓ２０１〜Ｓ２０３：図３におけるＳ１０１〜Ｓ１０３と同様の処理なのでその説明を省略する。
Ｓ２０４：クリアコート生成部７１０８は、クリアコート剤を印刷するクリアコートの範囲を確定するクリアコートデータ作成処理を行う。
【００６３】
Ｓ２０３で作成された地紋データの描画範囲全体を基本範囲とし、その基本範囲より外側に所定量はみ出した範囲をクリアコート剤の印刷範囲とするのが一般的であったが、本実施例では、クリアコート生成部７１０８は、基本範囲に対してはみ出す量は任意に決定することができ、基本範囲にはみ出し量を付加した範囲を、新たなひとつのクリアコート剤描画オブジェクトとしたクリアコートデータを作成する。
Ｓ２０５：中心線判断部７１１９は、地紋データの範囲の中心線部を決定する地紋データ範囲中心線Ｙ座標算出処理を行う。
【００６４】
ここで、中心線判断部７１１９が行う地紋データ範囲中心線Ｙ座標算出処理を図９に基づいて説明する。
まず、中心線判断部７１１９は、図中矢印Ｂが示す地紋の配列方向（複数の地紋コード９０２が配列された方向であり、例えばそれぞれの棒状の地紋コード９０２の短手方向、すなわち地紋コード９０２の幅が変化する方向であるＸ軸方向）に直交するＹ軸方向に対し、地紋データの下端Ｙ１座標９０５と上端Ｙ２座標９０６を求め、
Ｙ中心座標＝（下端Ｙ１座標＋上端Ｙ２座標）／２
により、Ｙ中心座標９０４を求める。
【００６５】
なお、中心線のＹ座標を決定するにあたり、地紋の配列方向としての読取り方向の情報が必要になるが、その情報はホスト装置１０００のデータ生成部１００２で付加された識別情報で判断することが可能である。また、バーコードのように地紋データ全体の形状が長方形に決定されているものであれば、地紋データ全体の長手方向を読取り方向と判断するようにしても良い。
【００６６】
Ｓ２０６：層厚決定部７１２０は、クリアコートデータのグラデーション処理を行う。
層厚決定部７１２０は、Ｓ２０４において作成されたクリアコートデータの描画範囲に対し、Ｓ２０５で求めた地紋データの図９に示す中心線９０４から下端Ｙ１座標９０５、上端Ｙ２座標９０６までグラデーション処理を行い、クリアコート剤のラスタデータや印刷情報等を作成して印刷データ記憶部１１１０のディスプレイリストに格納し、処理をＳ２１０へ移行する。
【００６７】
ここで、グラデーション処理を図９に基づいて説明する。なお、グラデーション処理の方法には、地紋データの種類や用途により、多種多様な方法が存在するが、本実施例では、図９を用いてひとつの例を説明する。なお、図９（ａ）は上面図であり、図９（ｂ）は図９（ａ）におけるＹＹ断面図、図９（ｃ）は図６（ａ）におけるＸＸ断面図である。
図９は、一般的な１次元バーコード等の技術による、地紋データとしての地紋コードの配置図であり、媒体２０７の上面に、図中矢印Ｂが示す地紋の配列方向に棒状の地紋コード９０２が配置され、その地紋コード９０２を覆い被せるようにクリアコート剤９０３が印刷される。なお、図９（ｂ）に示す中心線９０４ａは、地紋の配列方向であるＸ軸に平行な直線であり、各Ｘ座標における地紋コード９０２のＹ軸方向の中心を結んだ直線である。
【００６８】
この地紋コード９０２に対しては、Ｘ軸方向の一直線状の一部に破損が生じなければ、読み取りに支障をきたさないため、地紋コード９０２のＹ軸方向に対する中心線９０４ａの近傍の領域９０４ｂにのみ、その中心線９０４ａに直交する方向に所定の幅を保持してクリアコート剤を通常の層厚にして被せ、領域９０４ｂ以外の領域はクリアコート剤の層厚を通常の層厚より薄くして被せる。
すなわち、層厚決定部７１２０は、地紋の配列方向と直交する方向における中心線から端部に向かいクリアコート剤の層厚を薄化するように決定する。
【００６９】
Ｓ２０７〜Ｓ２０９：図３におけるＳ１０７〜Ｓ１０９と同様の処理なのでその説明を省略する。
Ｓ２１０：制御部１１１１は、通信部１１０１を介してホスト装置１０００から受信した印刷データ１００５のオブジェクトのすべての解析が終了したか否かを判定し、解析が終了していないと判定すると処理をＳ２０２へ移行して再び印刷データ１００５の解析を行い、すべての解析が終了したと判定すると本処理を終了する。
【００７０】
印刷装置１１００の画像データ生成部１１０２により画像データが生成されると、制御部１１１１は、印刷データ記憶部１１１０内のディスプレイリストに格納された各画像データに応じて印刷部１１１２の現像器制御部１１１３に対して画像形成を指示する。指示を受けた現像器制御部１１１３は、地紋データ画像をＫ現像部１１１４、ＹＭＣ画像データのＹ画像をＹ現像部１１１５、ＹＭＣ画像データのＭ画像をＭ現像部１１１６、ＹＭＣ画像データのＣ画像をＣ現像部１１１７、クリアコート画像データのクリアコート画像をＣＴ現像部１１１８で画像形成するように、Ｋ現像部１１１４、Ｙ現像部１１１５、Ｍ現像部１１１６、Ｃ現像部１１１７、およびＣＴ現像部１１１８の各現像部と、Ｋ＿ＬＥＤヘッド１１３０、Ｙ＿ＬＥＤヘッド１１３１、Ｍ＿ＬＥＤヘッド１１３２、Ｃ＿ＬＥＤヘッド１１３３、ＣＴ＿ＬＥＤヘッド１１３４の各ＬＥＤヘッドを制御する。
以降の印刷装置１１００の画像形成動作は第１の実施例と同様なのでその説明を省略する。
【００７１】
印刷装置１１００による画像形成動作が完了すると、図９に示すように、媒体２０７上に現像剤層が形成される。
このように、Ｋ現像部１１１４でＫ現像剤２１３により形成された地紋コード９０２の画像を覆うように、ＣＴ現像部１１１８でＣＴ現像剤２２５により地紋コード９０２の上層部にクリアコート剤９０３の画像が形成されるため、地紋コード９０２を保護することができる。
【００７２】
また、Ｋ現像剤２１３で形成されている地紋コード９０２の画像の上に、Ｙ現像部１１１５でＹ現像剤２１６、Ｍ現像部１１１６でＭ現像剤２１９、およびＣ現像部１１１７でＣ現像剤２２２の各現像剤によるＹＭＣ画像が、地紋コード９０２の画像の上位に形成される場合もあり、そのＹＭＣ画像もクリアコート剤９０３で覆い被され、保護することができる。
【００７３】
本実施例では、ＣＴ現像部１１１８で生成されるＣＴ現像剤２２５によるクリアコート剤の層厚を調整することを特徴とする画像形成の制御動作であり、クリアコート剤の層厚の調整は、ＣＴ＿ＬＥＤヘッド１１３４の光量を調整することで行っており、露光量を上げることにより層厚を厚く、露光量を下げることにより層厚を薄くすることができ、クリアコート剤の層厚を調整することができる。
このように、本実施例では、線で読み取る地紋データ（地紋パターン）であっても、地紋データの破損が激しい部位、または地紋データの破損を必ず防ぐことが必要な部位には通常の層厚のクリアコート剤を被せ、地紋データの破損があまり発生しない部位、または地紋データが破損してもあまり問題とならない部位には通常の層厚よりも薄くクリアコート剤を被せるようにしたことにより、クリアコート剤の消費量を抑制することができる。
【００７４】
以上説明したように、第２の実施例では、地紋データが線で読み取られるものであっても、地紋コードの読み取り方向に直交する方向における中心線上に所定の幅を保持してクリアコート剤を通常の層厚にして被せ、中心線から端部に向けてクリアコート剤の層厚を通常の層厚より薄くしたことにより、第１の実施例と同様の効果が得られる。
また、読取装置の接触による地紋データの破損、時間経過による地紋データの破損等を抑制することができ、さらにクリアコート剤を通常の層厚で直線的に被せた部位は、地紋データの破損を防止することができるため、破損等により地紋データが読取装置で読み取れなくなることを防止することができるという効果が得られる。
【００７５】
なお、第１の実施例および第２の実施例では、印刷装置を電子写真方式のプリンタとして説明したが、それに限られることなく、クリアコート剤を被せる電子写真方式、インクジェット方式または熱転写方式のプリンタ、複写機、またはファクシミリ装置とすることができる。
また、第１の実施例および第２の実施例では、印刷装置をカラープリンタとして説明したが、それに限られることなく、モノクロプリンタとしてもよい。
【符号の説明】
【００７６】
１０００  ホスト装置
１００１  ドライバ
１００２  ＰＤＬデータ生成部
１００３  データ送信部
１００４  アプリケーション
１００５  印刷データ
１１００  印刷装置
１１０１  通信部
１１０２  画像データ生成部
１１０３  印刷データ解析部
１１０５  地紋データ判別部
１１０６  オブジェクト判別部
１１０７  地紋データ生成部
１１０８、７１０８  クリアコート生成部
１１０９  ＹＭＣ画像データ生成部
１１１０  印刷データ記憶部
１１１１  制御部
１１１３  現像器制御部
１１１４  Ｋ現像部
１１１５  Ｙ現像部
１１１６  Ｍ現像部
１１１７  Ｃ現像部
１１１８  ＣＴ現像部
１１１９  中心判断部
７１１９  中心線判断部
１１２０、７１２０  層厚決定部
１１３０  Ｋ＿ＬＥＤヘッド
１１３１  Ｙ＿ＬＥＤヘッド
１１３２  Ｍ＿ＬＥＤヘッド
１１３３  Ｃ＿ＬＥＤヘッド
１１３４  ＣＴ＿ＬＥＤヘッド
【図１】
2014138313.tif 000003
【図２】
2014138313.tif 000004
【図３】
2014138313.tif 000005
【図４】
2014138313.tif 000006
【図５】
2014138313.tif 000007
【図６】
2014138313.tif 000008
【図７】
2014138313.tif 000009
【図８】
2014138313.tif 000010
【図９】
2014138313.tif 000011